(57)【要約】【課題】本発明は、加熱調理の際に高温になるさまざまな形の容器に柔軟に対応して火傷することなく把持し、安定して移動させ、また高温になった容器に煩わされることなく飲食することを可能にする、コンパクトな道具を提供する。 【解決手段】柔軟で耐熱効果と摩擦効果が高く且つ熱伝導性の低い素材からなる2個あるいは3個の指保護被覆部1と、前記被覆部間を帯状の伸縮が可能な接続部2で繋げてなることを基本構成とし、更に把持補強部6や、様々な指の太さに対応するための調整部や、収納を簡便にするための掛止部を設けて形成させる、高温容器の把持具。【選択図】図8
2011200544.tif 000002
【特許請求の範囲】
【請求項１】
柔軟で耐熱効果と摩擦抵抗が高く且つ熱伝導性の低い素材からなる指保護被覆部を2個あるいは3個有し、前記被覆部間を帯状の伸縮が可能な接続部で繋げたことを特徴とする高温容器の把持具。
【請求項２】
被覆部の指挿入口付近に、少なくとも縦横方向それぞれ1ｃｍ幅の面積を有した把持補強部を設けたことを特徴とする請求項1に記載の高温容器の把持具。
【請求項３】
被覆部に様々な太さの指に適応するための伸縮自在なギャザーや切れ込み等の調整部を設けたことを特徴とする請求項1又は2に記載の高温容器の把持具。
【請求項４】
接続部のほぼ中間部に収納を簡便にするための掛止部を設けたことを特徴とする請求項１ないし3のいずれかに記載の高温容器の把持具。
【発明の詳細な説明】
【技術分野】
【０００１】
本発明は、様々な形状の高温容器を火傷しないように安全に安定して移動させることが出来、また高温容器での飲食も快適にすることを可能にした把持具に関するものである。
【背景技術】
【０００２】
従来、加熱調理し高温になった容器を持ち運ぶには、ミトンやふきんを使用することが多い。
また、特許第3389525号公報  高温部材把持用手袋（特許文献１）に見られるように、ミトンの親指と人差し指の被覆部が独立していて掴みやすさを向上させたものや、特許第3513145号公報  高温の調理容器の簡便安全移動保持具（特許文献2）に見られるように、2つ1組の断熱材からなるもので高温容器を両側から挟んで使用するものなどがある。
また、最近では、シリコン樹脂製のミトンが市場で売られており、中には非特許文献1のマグネット皿つまみ  のように蝶の形をしていてコンパクトに収納でき、羽の部分で皿を挟んで電子レンジなどから取り出すグッズなども売られている。
【先行技術文献】
【特許文献】
【０００３】
【特許文献１】特許第3389525号  高温部材把持用手袋
【特許文献２】特許第3513145号  高温の調理容器の簡便安全移動保持        具
【非特許文献】
【０００４】
【非特許文献１】2010  SUPRING&SUMMER生活雑貨カタログ（カタログコード/10325）ｐ80  マグネット皿つまみ  発行/株式会社スクロール
【発明の概要】
【発明が解決しようとする課題】
【０００５】
しかしながら、ミトンは、実際の手よりも大きめに作られており、手にフィットする構造になっていないため、家庭生活において頻繁に使用する茶碗や湯飲みなどの比較的小さめの容器を移動させる場合、片手だけの装着では容器が逃げてしまい、わざわざ両手にミトンを装着しなければうまく取り出せない場合がある。その分手間がかかり、また、両手で持っても構造上指先まで神経が行き届かないのでしっかりと持つことが出来ず、不安定で内容物をこぼしてしまうこともある。また、ミトンはかさばるので収納スペースも必要となっていた。
ふきんも、ミトンと同じようにしっかりと持つことが出来ず、不安定なので、しっかり持とうとすると高温容器の広範囲にふきんが触れてしまいがちで、結果的に内容物とふきんが触れてしまうこともあり、不衛生になりがちであった。
【０００６】
特許文献1に記載された発明は、従来のミトンより使い勝手が向上しており、
厨房などで好適に使用できるが、小さめの容器はやはり持ちにくく、収納スペ
ースを取り、家庭用として使い勝手が飛躍的に向上するものではなかった。
特許文献2に記載された発明は、小物を移動しやすいが、バラバラで紛失し
やすく、両手にそれぞれ発明品を持って両側からはみ込む形で高温容器を移動
させるので、両手を必ず使う必要があり、力加減によってはバランスを崩す危険性があった。
市場で流通している樹脂製のミトンは、その素材により手軽に洗えるというメリットがあるが、その他の部分で布製のミトンと同じ不便さを持っており、小さめな容器はしっかりと持つことが出来ず、また収納スペースを取ってしまう。
非特許文献１の蝶の形のものは、コンパクトで高温になった平皿を取り出すには最適であるが、こちらでも小さな茶碗やコップを取り出す事は不可能であった。
また、上記のいずれにおいても、高温容器を移動させるだけであり、高温になった容器での飲食の不便さを飛躍的に解消するものではなかった。
【０００７】
本発明の目的は、加熱料理時に高温になる様々な容器に柔軟に対応して把持し、安定して移動させ、また取り出し移動後に、高温になった容器に煩わされない飲食を可能にする、コンパクトな高温容器の把持具を提供することである。
【課題を解決するための手段】
【０００８】
前述の課題を解決するため、本発明の高温容器の把持具は、柔軟で耐熱効果と摩擦抵抗が高く且つ熱伝導性の低い素材からなる指保護被覆部1を2個あるいは3個有し、前記被覆部間を帯状の伸縮が可能な接続部2で繋げたことを特徴としている。（請求項1）
【０００９】
また、本発明の高温容器の把持具は、被覆部1の指挿入口付近に、少なくとも縦横方向それぞれ1ｃｍ幅の面積を有する把持補強部6を設けたことを特徴としている。（請求項2）
【００１０】
また、本発明の高温容器の把持具は、被覆部に様々な太さの指に適応するための伸縮自在なギャザー8や切れ込み9等の調整部を設けたことを特徴としている。（請求項3）
【００１１】
また、本発明の高温容器の把持具は、接続部のほぼ中間部に収納を簡便にするための掛止部を設けたことを特徴としている。（請求項4）
【発明の効果】
【００１２】
本発明は、以上に説明したように構成されるので、以下に記載されるような効果を奏する。
【００１３】
柔軟で耐熱効果と摩擦抵抗が高く且つ熱伝導性の低い素材からなる指保護被覆部を2個あるいは3個有し、前記被覆部間を帯状の伸縮が可能な接続部で繋げているので、コンパクトで様々な高温容器の形に柔軟に対応して安定して安全に把持することが出来る。また、把持する際に容器に触れる部分が最小限で済むので衛生的である。更に、飲食時に本発明品を片手に装着することで、高温容器に煩わされずに飲食が出来、利便性が飛躍的に向上する。（請求項1）。
【００１４】
被覆部の指挿入口付近に、少なくとも縦横方向それぞれ1ｃｍの面積を有する把持補強部を設けているので、指を補助的に沿える部分が出来、把持が補強され、安全性が向上する。（請求項2）
【００１５】
被覆部に様々な太さの指に適応するための伸縮自在なギャザーや切れ込みなどの調整部を設けているので、様々な太さの指に適度にフィットし、快適でより安定した把持が可能になる。（請求項3）
【００１６】
帯状部分のほぼ中間部に収納を簡便にするための掛止部を設けているので、使い勝手の良い場所にコンパクトに収納出来、手際良く取り出して使用することが可能になり、利便性が向上する。（請求項4）
【図面の簡単な説明】
【００１７】
【図１】本発明の第一の実施例の平面図である。
【図２】（a）は、被覆部の実施態様を示した平面図である。（ｂ）は、被覆部の実施態様を示した底面図である。
【図３】（a）（ｂ）（ｃ）（ｄ）は、それぞれ接続部の実施態様を示した平面図である。
【図４】（a）は、第1の実施形態の本発明品を指に取り付けた状態を示す正面図である。        （ｂ）は、（a）の実施態様のもので高温容器を把持し移動させている状態を示す、使用状態の斜視図である。
【図５】（a）（ｂ）（ｃ）（ｄ）は、それぞれ被覆部の調整部と把持補強部の実施態様を示した平面図である。
【図６】（a）は、第4の実施態様の本発明品を指に取り付けた状態を示す正面図である。        （ｂ）は、（a）の実施態様のもので高温容器を把持し移動させている状態を示す、使用状態の斜視図である。
【図７】（a）（ｂ）は、それぞれ、掛止部の実施態様を示した斜視図である。
【図８】（a）は、本発明品の実施態様の一例の平面図である。      （ｂ）は、（a）の正面図である。
【図９】（a）（ｂ）（ｃ）は、本発明品の一部にデザイン性を持たせた平面図である。（ｄ）（e）は、本発明品の全体像にデザイン性を持たせた斜視図である。
【図１０】本発明品の、更に別の使用状態の一例を示す斜視図である。
【発明を実施するための形態】
【００１８】
以下、本発明品の実施形態について、図を用いて説明する。
本発明品の第1の実施形態は、図1に示すように、指保護被覆部1（以下、「被覆部」と記述する）と、接続部2から構成されている。
柔軟で耐熱効果と摩擦抵抗が高く且つ熱伝導性の低い素材からなる被覆部1を２個あるいは３個有し、前記被覆部間を帯状の伸縮が可能な接続部2で繋いでおり、被覆部１が互いに連結されている形状となっている。
【００１９】
ここで言う「柔軟」とは、本発明品の被覆部1が、高温容器5や指に接する際に、その形に応じて、適度にフィットすること意味する。「耐熱効果が高い」とは、少なくとも摂氏100度で変質または変形しないことを意味する。「摩擦抵抗が高い」とは、高温容器5を把持した時、被覆部1と高温容器5の間が簡単に滑らないことを意味する。「熱伝導性が低い」とは、一般的な天然又は合成ゴムと同程度以下の低い熱伝導度を有することを意味する。
【００２０】
被覆部1の長さは2.5ｃｍ前後で、各指の第一関節の大部分が収まる程度が望ましい。また被覆部1には、図2[a]で示すように、被覆部の高温容器と接しない部分に、指先の蒸れ防止や洗浄のしやすさを目的とする小孔3を設けても良く、また図2[ｂ]で示すように、表面には滑り止め効果を強化するための凸凹状の滑り止め4を設けるのが好ましい。被覆部1の２個あるいは３個のうちの１個には、親指を挿入することが多いので、若干長めに形成しても良い。
被覆部1の素材はゴム素材が好ましく、中でも耐熱性に優れているシリコンゴムやフッ素ゴムなどが好適である。
【００２１】
接続部2は、帯状の伸縮が可能なものであり、図1で示すようにシンプルで真直ぐなものは勿論、図3の[a]や[ｂ]のようなデザイン性のあるものや、図3の[ｃ]や[ｄ]のように、伸ばす力を軽減できる工夫をこらした形状にしても構わない。一般的に家事をすることの多い平均的な成人女性以下の握力でも無理なく手を広げられる程度の伸縮率あるいは形状にすることが理想的である。
接続部2の長さは被覆部1が2個の場合は伸張前の状態が10ｃｍ前後、被覆部1が3個の場合は3個のほぼ中心点からそれぞれ5〜6ｃｍ前後が好ましい。
また、接続部2の伸縮率は250％以上であることが望ましい。
以上を標準的なMサイズにして、ユーザーからの要望があれば、子供などの手が小さい人用のSサイズ・男性などの手が大きい人用のLサイズなど、サイズ違いを作っても良い。
接続部2の素材は、伸縮率の良い天然ゴムや、合成ゴムなどのエラストマーや、ゴム紐などでも良いが、被覆部1と接続部2は、前記の条件を満たしていれば、同素材で製造することがコスト面や耐久面において理想的であり、素材の原価や耐熱性などを考慮すると、シリコンゴムが好ましい。
全体を撥水性を有したゴム素材で製造することにより、手軽に洗うことが出来、容易に清潔さを保つことが出来る。
【００２２】
第1の実施形態の使用方法は、図4の[a]で示すように親指を含む任意の指に本発明品を装着する。親指と人差し指と中指の3本でだいたいの物は持てるので該指に装着するのが便利だが、幅の広いものを把持する場合などは人差し指の代わりに薬指にはめても構わない。状況に応じて任意の指に装着する。
また、最低限、親指を含む２本の指で物を持つことは可能であるので、被覆部1が２個の本発明品の場合は、親指を含めた任意の指にそれぞれ装着する。そして高温容器5の大きさや状況に応じて、被覆部1を装着した指を自由広げて、高温容器5を把持し、移動させる。図4の[ｂ]は、茶碗蒸し用の容器を蒸し器から取り出している図であるが、今まで茶碗蒸し容器を取り出すのにコンパクトで適当な道具がなく不便であった。本発明品を使用することにより、他の容器や内容物に不用意に触れる事なく、片手で容易に取り出す事が可能になる。
また、家庭生活において、冷ご飯を電子レンジで温めるのは日常茶飯事であるが、この時にも、片手でも茶碗が逃げることなく、取り出す事が可能となる。また、熱くなりすぎた湯のみを持つ際にも非常に便利である。
ふきんやミトンを使用する時に比べ、把持時に本発明品が食器に触れる部分も最小限の面積で済むので衛生的である。
【００２３】
本発明品の第2の実施形態は、被覆部1の指挿入口付近に、少なくとも縦横方向それぞれ1ｃｍ幅の面積の把持補強部6を設けたものである。
図5（a）と（ｂ）は、把持補強部6を被覆部1の下部に舌片状に設けているものであり、また図5（ｃ）は、被覆部1に程近い接続部2に把持補強部6を設けているものである。この接続部2に把持補強部6を設けたものは、被覆部1と把持補強部6の間に接続部２の細さのくびれが出来るので、後述の折り返す作業がしやすくなる。また、図5（ｂ）や（ｄ）で示すように、被覆部1と把持補強部6の境目に若干厚みを薄くしたライン状の折り返し部7を設けることにより、折り返し作業が容易になり、使い勝手が向上するので好ましい。
また、図5で示すように、把持補強部6は前記の面積を有してさえいれば、[a]6の四角型、[b]6の丸型、〔c〕6の雲形など形状は問わず、[ｄ]9のように、接続部2を横方向1ｃｍ以上の幅にすることにより、把持補強部6を兼ねても構わない。
また、把持補強部6は実際には1.5ｃｍ〜2ｃｍほどが安心感があり、使い勝手が良い。また、把持補強部6は被覆部1と同じ素材であることが望ましい。
この把持補助部6があることにより、標準的な1人用サイズのグラタン皿などを移動させる際にも便利に使用出来る。
【００２４】
本発明品の第2の実施形態の使用方法の一例を説明すると、図6[a]のように、両手の人差し指にそれぞれ被覆部1を装着し、図6[ｂ]の要領で接続部2を伸張させ、被覆部1と把持補強部6の間を折り返す形で高温容器5の持ち手を持ち、把持補強部6を親指で上から押えることにより、持ち手を人差し指と親指で挟むことが可能になるので、把持が一層強化され、本発明品１つだけでも、今までになかった手軽さでグラタン皿も移動することが可能となる。この時、まず片方の持ち手を持ってから、接続部2を伸張させてもう片方の持ち手を持つという手順で行うと作業がし易い。
また、前述の茶碗や湯飲みなどを把持する際にも、把持補強部6があることにより、指が保護される範囲が広がるので、把持する際により安心感が増すというメリットもある。
図6は、本発明品の被覆部1が2個の場合の図であるが、本発明品の被覆部1が3個の場合は、どちらか片方の手に人差し指と中指の2本に装着し、2本で片側を持つことが出来るので、不都合はない。
【００２５】
本発明品の第3の実施形態は、図5で示すように、被覆部1に様々な太さの指に適応するための調整部を設けたものである。被覆部1の素材は柔軟であり、ゴム素材であれば素材自体にある程度の伸縮性を有しているが、より様々な太さの指に適度にフィットするために被覆部1に図5[a]のようなギャザー8や、図5[ｂ]のような切れ込み9を設けてもよい。また、図5[ｃ]のように、被覆部1の下部に、より伸縮性に優れた別の指固定バンド10をきつめに取り付けることによって、指にフィットさせる構造でも構わない。また、細い指への調整手段として、被覆部1の内側に、図5（ｄ）のような柔軟な逆止弁11や突起12などを取り付けても良い。
上記により、様々な太さの指に適度にフィットし、安定して把持作業を行うことが可能になる。
図5のそれぞれにおいて、調整部と把持補強部6のバリエーションの組み合わせは一例であって、この組み合わせに限定されるものではない。
【００２６】
本発明品の第4の実施形態は、図7で示すような収納を簡便にするための掛止部を設けている。
例えば、図7 [a]のようなフックに掛けるための掛止穴13を設けたものや、図7 [b]のような磁性体14を取り付けたものなどである。またシンプルな形としては、フックに掛けた時に全体のバランスを取り、収まりやすくするためのカーブを接続部2の中央部分に形成して掛止部としても構わない。掛止部は、使用時に邪魔にならないコンパクトで柔軟なものであることが望ましく、接続部2の幅からはみ出さない形状であり、本発明品を指に装着した際に手の平側に掛止部が来るように設けることが理想的である。また掛止部が磁性体14のものは、マグネットシートなどの柔軟で薄いものを使用することが好ましい。
掛止部を用いて頻繁に使用する場所の近くに収納しておくと、急いで使用する際にも便利である。電子レンジなどの加熱調理機本体の側面ならどこにでも取り付けられると言う点から、磁性体14の掛止部は非常に便利である。
【００２７】
また、本発明品はカラフルな色や模様をつけると楽しく、本発明品の一部または全体的な形状を、図9（a）〜（e）で示すような果物や野菜やキャラクターなどに見立てたデザインにすると、美感が増すのでより好ましい。
また、被覆部1が２個のものは装着が手軽であり、３個のものはより安定して高温容器5を把持し移動することが可能になるので、それぞれユーザーが好みに応じて選べるように、２種類を製造することが望ましい。
【００２８】
以上記述したように、本発明品は、コンパクトな上、自由に把持する幅を変えられるので、本発明品1つだけでも平皿・茶碗・湯飲み・グラタン皿・鍋蓋なども持ちやすく、今まで手間取っていた比較的小さめな高温容器5も安定して把持することが出来、従来のものよりも利用範囲が広い。また、本発明品を２つ使用すれば高温になった大皿なども移動出来、更に利用範囲は広がる。
また、本発明品は高温容器5を移動させた後、利き手の反対の手に装着することによって高温容器5が冷めるまでの間、図10で示すように高温容器5を持ったり支えたりしながら飲食することが出来るので、従来品には無い利用範囲の広さで、非常に便利である。
よって、本発明品はユーザーの利便性が非常に高いものである。
【００２９】
以上、主に食品用の高温容器について記述したが、食品用の高温容器に限定されるものではなく、2本あるいは3本の指で安全に把持可能なものであれば、食品用以外の容器や、容器以外の高温になる物に対しても、ユーザーの任意により使用出来るものであるので、記述した実施例に限定されるものではない。
【符号の説明】
【００３０】
1  被覆部
2  接続部
３  小孔
４  滑り止め
５  高温容器
６  把持補強部
７  折り返し部
8  ギャザー（調整部）
９  切れ込み（調整部）
10  バンド（調整部）
11  逆止弁（調整部）
12  突起  （調整部）
13  掛止穴（掛止部）
14  磁性体（掛止部）
A    手
【図１】
2011200544.tif 000003
【図２】
2011200544.tif 000004
【図３】
2011200544.tif 000005
【図４】
2011200544.tif 000006
【図５】
2011200544.tif 000007
【図６】
2011200544.tif 000008
【図７】
2011200544.tif 000009
【図８】
2011200544.tif 000010
【図９】
2011200544.tif 000011
【図１０】
2011200544.tif 000012